【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
長手方向の軸線（Ａ）を有する切削工具（１０）であって、インサート受入ポケット（１６）とそこに保持される切削インサート（１４）とを備えて前方部分（１８）に形成される少なくとも一つの取付脚（２０）を有する工具本体（１２）を備え；
該インサート受入ポケットは、
基壁（２２）と、基壁に対して横断する方向に向けられた側壁（２４）と、
基壁から下方に伸びていて、直立した周囲壁（３０）によって境界されている下壁（２８）を有するほぼ円形の凹部（２６）と、
ネジ孔の軸線（Ｂ）を有し、凹部の下壁から下方に伸びているネジ孔（３２）と、
を備え；
該切削インサートは、
上面（４６）および下面（４８）と、上面と下面の間に延在する側面（５０）と、
連続的に周囲に伸びる切削刃部分（５１）を画成する、上面と側面との交差部分と、
下面から下方に伸び、周囲面（５６）によって囲まれた底面（５４）を有する円筒状の突出部（５２）と、
孔の軸線（Ｅ）を有し、上面と底面との間に伸びている貫通孔（５７）と、
を備え；
留めネジ（３４）は、貫通孔を通過し、ネジ孔に螺合し、周囲面（５６）が、周囲壁（３０）に当接し、下面（４８）は基壁（２２）に当接することを特徴とする切削工具（１０）。
【請求項２】
切削インサートは、孔の軸線（Ｅ）で３３０°の動作範囲角（δ）に対することを特徴とする請求項１に記載の切削工具。
【請求項３】
直立した周囲壁（３０）は、長手方向の軸線に関して、軸方向に後方に、そして半径方向に内側に伸びるカットアウト（３６）を設けられていることを特徴とする請求項１に記載の切削工具。
【請求項４】
カットアウトは、３０°から６０°の範囲でネジ孔の軸線（Ｂ）で逃げ角（α）に対することを特徴とする請求項３に記載の切削工具。
【請求項５】
逃げ角（α）は４０°であることを特徴とする請求項４に記載の切削工具。
【請求項６】
周囲面（５６）は、カットアウトに隣接する二つの離間された接触領域（６２、６３）に従って周囲壁（３０）に当接することを特徴とする請求項３に記載の切削工具。
【請求項７】
側壁（２４）は回転制限手段（３９）を備え、側面（５０）は回転制限面（５８）を備え、且つ回転制限面は回転制限手段に当接するように適合されていることを特徴とする請求項１に記載の切削工具。
【請求項８】
切削刃部分は、連続的に周囲に伸びる円形の切削刃（５１）を画成することを特徴とする請求項１に記載の切削工具。
【請求項９】
回転制限手段は、しなやかな部材（３９）であることを特徴とする請求項７に記載の切削工具。
【請求項１０】
回転制限手段は、外側に付勢されるプランジャー（３９）であることを特徴とする請求項７に記載の切削工具。
【請求項１１】
プランジャーは、バネ（４１）によって外側に付勢されることを特徴とする請求項１０に記載の切削工具。
【請求項１２】
プランジャーは、ボールプランジャー（４２）であることを特徴とする請求項１０に記載の切削工具。
【請求項１３】
回転制限面は、プランジャーに当接するように構成された割出取付面（５８）であることを特徴とする請求項１０に記載の切削工具。
【請求項１４】
切削インサートの割出取付面（５８）は、平らであることを特徴とする請求項１３に記載の切削工具。
【請求項１５】
切削インサートの割出取付面（５８）は、へこまされていることを特徴とする請求項１３に記載の切削工具。
【請求項１６】
切削インサートは、少なくとも三つの割出取付面を有していることを特徴とする請求項１３に記載の切削工具。
【請求項１７】
回転制限手段は、作用している割出取付面（６６）を構成する唯一つの回転制限面（５８）に当接し、側面（５０）は作用している回転制限面を除いては接しないように保たれていることを特徴とする請求項７に記載の切削工具。
【請求項１８】
回転制限面（５８）は、下面（４８）に隣接する側面（５０）に位置していることを特徴とする請求項７に記載の切削工具。
【請求項１９】
回転制限面（５８）は、側面（５０）に位置し、下面（４８）に対して開いていることを特徴とする請求項７に記載の切削工具。
【請求項２０】
プランジャー（３９）は、ネジ孔（３２）の軸線（Ｂ）と内部の鋭角（β）を形成することを特徴とする請求項１０に記載の切削工具。
【請求項２１】
内部の鋭角（β）は、７０°から８０°の範囲であることを特徴とする請求項２０に記載の切削工具。
【請求項２２】
内部の鋭角（β）は７３°であることを特徴とする請求項２０に記載の切削工具。
【請求項２３】
凹部（２６）は第一の直径（Ｄ１）を有し、突出部（５２）は第二の直径（Ｄ２）を有し、且つ第一の直径は第二の直径よりも大きいことを特徴とする請求項１に記載の切削工具。
【請求項２４】
第一の直径（Ｄ１）は、０．０１ｍｍから０．０３ｍｍ、第二の直径（Ｄ２）よりも大きいことを特徴とする請求項２３に記載の切削工具。
【請求項２５】
直立した周囲壁（３０）は、基壁（２２）に直角であることを特徴とする請求項１に記載の切削工具。
【請求項２６】
周囲面（５６）は、下面（４８）に直角であることを特徴とする請求項１に記載の切削工具。
【請求項２７】
ネジ孔（３２）の軸線（Ｂ）は、孔（５７）の軸線（Ｅ）に平行であり、そこから第一の距離（Ｌ）離れて一定の間隔を保たされていて、且つネジ孔の軸線は、孔の軸線よりもカットアウト（３６）のそばに位置していることを特徴とする請求項３に記載の切削工具。
【請求項２８】
留めネジ（３４）はネジ孔に螺合しないで、突出部（５２）が凹部（２６）の中にあるとき、回転制限手段（３９）はネジ孔の軸線に平行である孔の軸線に合わせるのを助力することを特徴とする請求項７に記載の切削工具。
【請求項２９】
留めネジ（３４）はネジ孔に螺合しないで、突出部（５２）は凹部（２６）の中にあるとき、回転制限手段（３９）は、インサート受入ポケットから切削インサートが外へ落ちないように妨げていることを特徴とする請求項７に記載の切削工具。
【請求項３０】
回転制限面（５８）は、側面の周りに均一に周囲に分布されていて、多くの割り出し位置を形成し、且つ突出部（５２）は留めネジがネジ孔に螺合することなく凹部（２６）の中にあるとき、または留めネジは部分的にネジ孔にあるとき、切削インサートは一の割り出し位置からもう一つの割り出し位置に孔の軸線の周りに回転され得ることを特徴とする請求項７に記載の切削工具。
【請求項３１】
機械的なシグナルは、切削インサートは一の割り出し位置からもう一つの割り出し位置に割出されるとき、提供されることを特徴とする請求項３０に記載の切削工具。
【請求項３２】
切削インサートの回転に対する抵抗力は、機械的なシグナルを生じさせることを特徴とする請求項３１に記載の切削工具。
【請求項３３】
機械的なシグナルは、カチッという音であることを特徴とする請求項３１に記載の切削工具。
【請求項３４】
割り出し位置は、割出数字（６４）により上面（４６）につけられていることを特徴とする請求項３０に記載の切削工具。
【請求項３５】
切削インサート（１４）は、
上面（４６）および下面（４８）と、上面と下面の間に延在する側面（５０）と、
連続的に周囲に伸びる切削刃部分（５１）を画成する、上面と側面との交差部分と、
下面から下方に伸び、周囲面（５６）によって囲まれた底面（５４）を有する円筒状の突出部（５２）と、
孔の軸線（Ｅ）を有し、上面と底面との間に伸びている貫通孔（５７）と、
を備え、；
側面（５０）は、下面（４８）に隣接して開いている回転制限面（５８）を備えることを特徴とする切削インサート（１４）。
【請求項３６】
切削刃部分は、連続的に周囲に伸びる円形の切削刃（５１）を画成することを特徴とする請求項３５に記載の切削インサート。
【請求項３７】
回転制限面（５８）は、割出取付面であることを特徴とする請求項３５に記載の切削インサート。
【請求項３８】
割出取付面（５８）は、平らであることを特徴とする請求項３７に記載の切削インサート。
【請求項３９】
割出取付面（５８）は、へこまされていることを特徴とする請求項３７に記載の切削インサート。
【請求項４０】
切削インサートは、少なくとも三つの割出取付面を有することを特徴とする請求項３７に記載の切削インサート。
【請求項４１】
周囲面（５６）は、下面（４８）に直角であることを特徴とする請求項３５に記載の切削インサート。
【請求項４２】
回転制限面（５８）は、側面の回りに等しく周囲に配置され、複数の割り出し位置を形成することを特徴とする請求項３５に記載の切削インサート。
【請求項４３】
割り出し位置は、割出数字（６４）により上面（４６）につけられていることを特徴とする請求項４２に記載の切削インサート。
【手続補正２】
【補正対象書類名】明細書
【補正対象項目名】００４７
【補正方法】変更
【補正の内容】
【００４７】
好ましくは、直立した周囲壁は、基壁に直角である。
【手続補正３】
【補正対象書類名】明細書
【補正対象項目名】００４８
【補正方法】変更
【補正の内容】
【００４８】
さらに好ましくは、周囲面は、下面に直角である。
【手続補正４】
【補正対象書類名】明細書
【補正対象項目名】００４９
【補正方法】変更
【補正の内容】
【００４９】
なおさらに好ましくは、ネジ孔の軸線（Ｂ）は、孔の軸線（Ｅ）に平行であり、そこから第一の距離（Ｌ）離れて一定の間隔を保たされていて、且つネジ孔の軸線は、孔の軸線よりもカットアウトのそばに位置している。
【手続補正５】
【補正対象書類名】明細書
【補正対象項目名】００６３
【補正方法】変更
【補正の内容】
【００６３】
好ましくは、周囲面は、下面に直角である。
【手続補正６】
【補正対象書類名】明細書
【補正対象項目名】００６４
【補正方法】変更
【補正の内容】
【００６４】
さらに好ましくは、回転制限面は、側面の回りに等しく周囲に配置され、複数の割り出し位置を形成する。
【手続補正７】
【補正対象書類名】明細書
【補正対象項目名】００６８
【補正方法】変更
【補正の内容】
【００６８】
インサート受入ポケット１６は、基壁２２と、基壁に隣接し、それに横断する方向に向けられた側壁２４とを備えている。切り屑凹部２５は、側壁２４から後方に延在している。基壁２２は、切削工具１０の正面図と側面図に見られるように、長手方向の軸線Ａに対して実質的に平行に向けられている。ほぼ円形の凹部２６は、第一の直径Ｄ１を有し、基壁２２から下方に伸びている。凹部２６は、直立した周囲壁３０によって境界されている下壁２８を有している。好ましくは、周囲壁３０は、基壁２２に直角である。ネジ孔の軸線Ｂを有するネジ孔３２は、凹部２６の下壁２８から下方に伸びている。ネジ孔３２は、後述するように、ネジ頭３５を有する留めネジ３４を、ねじるように受け入れて、適合される。
【手続補正８】
【補正対象書類名】明細書
【補正対象項目名】００７２
【補正方法】変更
【補正の内容】
【００７２】
円筒型の突出部５２は、下面４８から下方に延在している。突出部５２は、周囲面５６によって囲まれた底面５４を有する。好ましくは、周囲面５６は、下面４８と直角である。突出部５２は、凹部２６の第一の直径Ｄ１よりもわずかに小さい第二の直径Ｄ２を有する。第一の直径Ｄ１と第二の直径Ｄ２の差は、凹部２６の中での突出部５２の堅固な当接を可能にすべく十分に小さく、且つ凹部２６の中での突出部５２の自由な挿入を可能にすべく十分に大きくあるべきである。実際の範囲として、第一の直径Ｄ１は、０．０１ｍｍから０．０３ｍｍ、第二の直径Ｄ２よりも大きい。孔の軸線Ｅを有する貫通孔５７は、上面４６と底面５４との間に伸びている。
【手続補正９】
【補正対象書類名】明細書
【補正対象項目名】００７８
【補正方法】変更
【補正の内容】
【００７８】
図７に見られるように、ネジ孔３２の軸線Ｂは、孔５７の軸線Ｅに対して平行であり、そこから第一の距離Ｌ離れて一定の間隔を保たれている。軸線Ｂは、軸線Ｅよりもカットアウト３６のそばに位置している。従って、留めネジ３４がネジ孔３２に螺合しているとき、ネジ頭３５は、バネ４１の反作用に対してカットアウト３６に向かうように切削インサート１４を付勢する。留めネジの作用のもとでの切削インサートのこの動きの間、プランジャーは、二つの溝の側壁５９と６０がそのプランジャーの前方部分４４に均一に当接するまで、切削インサートをわずかに回転するように付勢する。この方途により、切削インサート１４は、望ましい割出しの位置に位置することを確実にされる。この位置で、溝の上壁６１は接しないように保たれている。